(57)【要約】  向上した光学的品質の成形による眼用集光レンズは、単回使用レンズを提供するように、低コストで大量生産可能である。これらの眼用レンズは、生産コストを減少させレンズの光学的品質を向上させるように、同様のタイプの既知のレンズとは異なる形状を有する。【選択図】図１
2019511939.tif 000002
【特許請求の範囲】
【請求項１】
眼用レンズであって、
リング部分と、
目接触部分と、
前記リング部分と前記目接触部分との間に配設された主本体部分とを含み、
前記目接触部分、前記主本体部分、および前記リング部分が一体に形成され、前記レンズが、約０．１〜約０．２の、前記レンズの厚さに対する前記リング部分の高さ比を有する、
眼用レンズ。
【請求項２】
約１．１〜約１．９の比重、および約１．４〜約１．５５の屈折率を有する材料から形成される、請求項１に記載の眼用レンズ。
【請求項３】
ポリメチルメタクリレートから形成される、請求項２に記載の眼用レンズ。
【請求項４】
約０．７５〜約０．９の直径比を有する、請求項１に記載の眼用レンズ。
【請求項５】
約１．１〜約１．３の比重を有する材料から形成される、請求項１に記載の眼用レンズ。
【請求項６】
射出成形または圧縮成形される、請求項１に記載の眼用レンズ。
【請求項７】
前記リング部分の回転軸が、前記レンズの中心線に垂直である、請求項１に記載の眼用レンズ。
【請求項８】
約１．４〜約１．５５の屈折率を有する材料から形成される、請求項１に記載の眼用レンズ。
【請求項９】
少なくとも約１０ｍｍである前記レンズの厚さを有する、請求項１に記載の眼用レンズ。
【請求項１０】
前記リング部分に一体に連結された把持部分をさらに含む、請求項１に記載の眼用レンズ。
【請求項１１】
約０．１５〜約０．３の、前記レンズの厚さに対する前記把持部分の高さ比を有する、請求項１０に記載の眼用レンズ。
【請求項１２】
前記リング部分の高さが、約１ｍｍ〜約７ｍｍである、請求項１に記載の眼用レンズ。
【請求項１３】
前記レンズの厚さが、約１０〜約２０ｍｍの範囲である、請求項１に記載の眼用レンズ。
【請求項１４】
使い捨てである、請求項１に記載の眼用レンズ。
【請求項１５】
前記把持部分が、テクスチャリングされる、請求項１０に記載の眼用レンズ。
【請求項１６】
ミラー表面のアルミニウムコーティングをさらに含む、請求項１に記載の眼用レンズ。
【請求項１７】
少なくとも約１３．７ｍｍである幅を有する単一ミラーを有する、請求項１に記載の眼用レンズ。
【請求項１８】
前記把持部分の高さが、約３ｍｍ〜約１０ｍｍである、請求項１０に記載の眼用レンズ。
【請求項１９】
前記リング部分の高さに対する前記把持部の高さ比が、約０．１〜約１．０である、請求項１０に記載の眼用レンズ。
【発明の詳細な説明】
【技術分野】
【０００１】
関連出願
[0001]本願は、２０１４年９月１０日付け出願の米国特許出願第１４／４８２，７６６号の優先権を主張し、その一部継続出願であり、その全体が参照により本願に組み込まれる。
【０００２】
[0002]本発明は、低コストで大量生産することができる、向上した光学的品質の、成形による眼用レンズに関する。例えば、本発明は、目の内部の眼底の検査手段をもたらす、成形による眼用集光レンズに関する。本発明は、単回使用レンズを実現するように、射出成形および／または圧縮成形され得る、成形による眼用レンズに関する。眼用レンズは、コストを減少させレンズの光学的品質を向上させるように、同じタイプの既知のレンズとは異なる一体リングおよび非球状形状を有する。別の例として、本発明は、目を見るまたは治療するために臨床家によって使用される、主本体部分、把持部分および目接触部分を有する接触レンズに関する。本発明は、単回使用レンズを実現するように、射出成形および／または圧縮成形され得る、成形による眼用接触レンズに関する。眼用レンズは、コストを減少させレンズの光学的品質を向上させるように、同じタイプの既知の接触レンズとは異なる一体リングおよび形状を有する。
【背景技術】
【０００３】
[0003]眼用レンズは、目の診断および治療のために眼科医および検眼士によって使用される。眼科医によって行われる一般的な処置は、患者の目の内部の検査である。これは、患者の目の内部の形態変異は、眼科医にとって重要な情報である患者の健康またはいくつかの眼疾患の蔓延に関する情報を与えることができるので、重要な手順である。
【０００４】
[0004]一般的に、検査手順において、眼科医は、患者の目に局所用薬物を入れて、目の瞳孔を散大させる。眼科医は、既知の集光レンズを用いて、照明システムとあわせて患者の目にごく近接してそれを保持し、患者の目の内部を観察することができる。これらの集光レンズは、一般に、検査を実施する眼科医に有用な画像を生成する。しかし、患者は、視界不良、光過敏および奥行き知覚の低下など、散瞳薬の様々な副作用に耐えなければならない。これらの副作用は、検査後も数時間続くことがある。さらに、例えば高齢の患者または特定の薬剤を服用している患者の中には目がよく散大しないこともある。
【０００５】
[0005]参照により本明細書に組み入れられる米国特許第５，５２６，１８９号は、目の内部の検査のための手段をもたらす、２つの非球面を含む非対称の眼底観察レンズまたは集光レンズ、より具体的には、散大していない瞳孔を介して目の眼底の広角画像（ｗｉｄｅ  ｆｉｅｌｄ  ｏｆ  ｖｉｅｗ  ｉｍａｇｅ）を観察するためのレンズを扱っている。
【０００６】
[0006]眼底観察レンズまたは集光レンズを含む既知の眼用レンズは、一般的に、機械加工され、磨かれる。そのような眼用レンズは、機械加工されて磨かれるので、生産コストが非常に高く、大量生産ができない。
【０００７】
[0007]眼科業界に絶えず存在する問題には、器具の汚染および患者間の交差感染がある。眼用デバイスは、使用毎に滅菌されなければならない。しかし、これは、眼科医および彼／彼女のスタッフ側の個人の意識、手順に従う意欲、モニタリングおよびドキュメンテーションに頼るものである。単回使用デバイスは、この問題の解決策を提示することができる。
【０００８】
[0008]参照により本明細書に組み入れられる米国特許第８，３０３，１１６号は、向上した光学的品質を有し低コストで大量生産することができる、単回使用の成形による眼用レンズを扱っている。そこに記載されるレンズは、患者の目に接触する部分を有し、眼底観察レンズまたは集光レンズとは異なるように形作られる。
【発明の概要】
【発明が解決しようとする課題】
【０００９】
[0009]したがって、例えば眼底観察または集光レンズである、間接的な処置で使用される単回使用レンズが望まれており、それは当技術分野で過去には存在していない。同様に、接触による処置で使用される単回使用レンズが望まれており、特許請求される形状を有するそのようなレンズは当技術分野で過去には存在していない。本明細書には、さらなる改良点が記載されている。
【課題を解決するための手段】
【００１０】
[0010]従来の眼用レンズの欠点は、克服された。一実施形態では、本眼用レンズは、近位面および反対面を含む光学部分と、光学部分の周りに円周方向に延在するリング部分とを有する。本レンズの形状は、眼科医がレンズを使用して、散大されているまたはされていない患者の目の、例えば眼底である患者の目の内部を見ることができるようにする。本レンズの形状は、さらに、射出成形または圧縮成形などの成形によるレンズの形成を可能にする。レンズは、成形され得るので、大量生産可能であり、すなわち、それらは使い捨てまたは単回使用であってよい。
【００１１】
[0011]一実施形態では、本眼用レンズは、近位面および反対面を含む光学部分と、光学部分の周りに円周方向に延在するリング部分とを含む。光学部分は、光学的に透明な材料から形成される。レンズは、単回使用または使い捨てを可能にする、射出成形または圧縮成形される。
【００１２】
[0012]リング部分は、光学部分と一体にされてよく、光学部分と同じ材料から作られてよい。リング部分の回転軸は、レンズの中心軸に垂直であってよい。
【００１３】
[0013]レンズは、リング部分と一体の把持部分をさらに含むことができる。一例として、把持部分は、テクスチャリングされ得る。あるいは、リング部分が把持部分として機能することもできる。この代替実施形態では、リング部分はテクスチャリングされ得る。
【００１４】
[0014]レンズは、１．１〜１．２の比重、例えば１．１５〜１．２の比重を有する材料から形成され得る。材料は、１．４〜１．５５の屈折率を有することができる。そうした材料の一例は、ポリメチルメタクリレートである。
【００１５】
[0015]レンズは、少なくとも１０ｍｍ、例えば１０〜２０ミリメートルの厚さを有することができる。レンズは、．０１５〜０．２の厚さ比ｔ／Ｔを有することができる。レンズは、少なくとも２０ｍｍの直径を有することができる。レンズは、０．７５〜０．９の直径比ｄ／Ｄを有することができる。レンズは、１．５〜２．０倍の範囲の、近位面を反対面と比較した頂点曲率の比を有することができる。レンズは、０．６〜１．０の、厚さに対する焦点距離の比Ｆ／Ｔを有することができる。レンズは、５〜４０ｍｍの間の、レンズの反対面からの距離に実像を形成することができる。
【００１６】
[0016]レンズの光学面は、以下の式
ｚ＝Ｃｒ２／（１＋√（１−（１＋ｋ）Ｃ２ｒ２））
によって定義され得る。面レンズ（ｓｕｒｆａｃｅ  ｌｅｎｓ）を定めるｋ値は、−０．５〜−２．０の範囲内であってよい。所与の面の頂点半径（１／Ｃ）は、６．０ｍｍ〜３０ｍｍの範囲内であってよい。
【００１７】
[0017]他の実施形態では、本眼用レンズは、光学部分および光学部分の周りに円周方向に延在するリング部分を含む主本体部分と、把持部分とを含む。光学部分は、近位面と、反対面とを含み、光学的に透明な材料から形成される。レンズは、その単回使用または使い捨てを可能にする、射出成形または圧縮成形される。
【００１８】
[0018]リング部分は、光学部分と一体にされてよく、光学部分と同じ材料から作られてよい。リング部分の回転軸は、レンズの中心軸に垂直であってよい。把持部分は、テクスチャリングされ得る。
【００１９】
[0019]レンズは、１．１〜１．２、例えば１．１５〜１．２の比重を有する材料から形成され得る。材料は、１．４〜１．５５の屈折率を有することができる。そうした材料の一例は、ポリメチルメタクリレートである。
【００２０】
[0020]レンズは、少なくとも１０ｍｍ、例えば１０〜２０ミリメートルの厚さを有することができる。レンズは、．０１５〜０．２の厚さ比ｔ／Ｔを有することができる。レンズは、少なくとも２０ｍｍの直径を有することができる。レンズは、０．７５〜０．９の直径比ｄ／Ｄを有することができる。レンズは、１．５〜２．０倍の範囲の、近位面を反対面と比較した頂点曲率の比を有することができる。レンズは、０．６〜１．０の、厚さに対する焦点距離の比Ｆ／Ｔを有することができる。レンズは、５〜４０ｍｍの間の、レンズの反対面からの距離に実像を形成することができる。
【００２１】
[0021]レンズの光学面は、以下の式
ｚ＝Ｃｒ２／（１＋√（１−（１＋ｋ）Ｃ２ｒ２））
によって定義され得る。面レンズを定めるｋ値は、−０．５〜−２．０の範囲内であってよい。所与の面の頂点半径（１／Ｃ）は、６．０ｍｍ〜３０ｍｍの範囲内であってよい。
【００２２】
[0022]本発明のさらに他の実施形態では、本発明の成形による眼用レンズは、近位面および反対面を含む光学部分を含み、近位面を反対面と比較した頂点曲率の比は、１．５〜２．０倍の範囲であり、レンズは単回使用レンズである。レンズは、その単回の使用または使い捨てを可能にする、射出成形または圧縮成形される。
【００２３】
[0023]レンズは、リング部分をさらに含むことができる。リング部分は、光学部分と一体にされてよく、光学部分と同じ材料から作られてよい。リング部分の回転軸は、レンズの中心軸に垂直であってよい。
【００２４】
[0024]レンズは、リング部分と一体の把持部分をさらに含むことができる。一例として、把持部分は、テクスチャリングされ得る。あるいは、リング部分が把持部分として機能することもできる。この代替実施形態では、リング部分はテクスチャリングされ得る。
【００２５】
[0025]レンズは、１．１〜１．２、例えば１．１５〜１．２の比重を有する材料から形成され得る。材料は、１．４〜１．５５の屈折率を有することができる。そうした材料の一例は、ポリメチルメタクリレートである。
【００２６】
[0026]レンズは、少なくとも１０ｍｍ、例えば１０〜２０ミリメートルの厚さを有することができる。レンズは、．０１５〜０．２の厚さｔ／Ｔを有することができる。レンズは、少なくとも２０ｍｍの直径を有することができる。レンズは、０．７５〜０．９の直径比ｄ／Ｄを有することができる。レンズは、０．６〜１．０の、厚さに対する焦点距離の比Ｆ／Ｔを有することができる。レンズは、５〜４０ｍｍの間の、レンズの反対面からの距離に実像を形成することができる。
【００２７】
[0027]レンズの光学面は、以下の式
ｚ＝Ｃｒ２／（１＋√（１−（１＋ｋ）Ｃ２ｒ２））
によって定義され得る。面レンズを定めるｋ値は、−０．５〜−２．０の範囲内であってよい。所与の面の頂点半径（１／Ｃ）は、６．０ｍｍ〜３０ｍｍの範囲内であってよい。
【００２８】
[0028]別の実施形態では、同じ射出および／または圧縮成形を用いて、接触レンズを形成することができる。ここで接触面は、患者の目に接触するよう適切に形成され、主本体部分には、医師による操作を容易にする一体の把持部分が組み込まれており、さらに主本体部分は、レンズの通常の視軸から離れて位置する眼組織を医師が観察できるようにする少なくとも１つのミラー表面を含む。したがって、単一片の接触レンズを使用して、医師はレンズの視軸に一致した方向を見ることによって患者の目の中の中央に位置する組織を観察することができ、さらに医師は、レンズのミラー部分を用いることによって、軸方向に位置していない患者の目の中の組織を観察することができる。
【００２９】
[0029]一実施形態では、本眼用レンズは、リング部分、目接触部分、およびリング部分と目接触部分との間に配設された主本体部分を含み、目接触部分、主本体部分、およびリング部分は一体に形成され、レンズは、約０．１〜約０．２の、レンズの厚さに対するリングの高さ比を有する。
【００３０】
[0030]特定の実施形態では、レンズは、約１．１〜約１．９の比重、および約１．４〜約１．５５の屈折率を有する材料から形成され得る。例えばレンズは、約１．１〜約１．３の比重を有する材料から形成され得る。例えば屈折率は、約１．４〜約１．５５であってよい。例えばレンズは、ポリメチルメタクリレートから形成され得る。
【００３１】
[0031]特定の実施形態では、レンズは、射出成形または圧縮成形され得る。レンズは使い捨てであってよい。
【００３２】
[0032]特定の実施形態では、レンズは以下の寸法を有することができる。レンズは、約０．７５〜約０．９の直径比を有することができる。レンズは、少なくとも約１０ｍｍであるレンズの厚さを有することができる。例えばレンズは、約１０〜約２０ｍｍの範囲であるレンズの厚さを有することができる。レンズは、約１ｍｍ〜約７ｍｍであるリング部分の高さを有することができる。
【００３３】
[0033]一実施形態では、レンズは、レンズの中心線に垂直であり得るリング部分の回転軸を有することができる。
【００３４】
[0034]レンズは、リング部分と一体に連結された把持部分をさらに含むことができる。把持部分は、テクスチャリングされ得る。特定の実施形態では、レンズは以下の寸法を有することができる。把持部分の高さは、約３ｍｍ〜約１０ｍｍであってよい。レンズの厚さに対する把持部分の高さ比は、約０．１５〜約０．３であってよい。リングの高さに対する把持部の高さ比は、約０．１〜約１．０であってよい。
【００３５】
[0035]一実施形態では、レンズは、ミラー表面のアルミニウムコーティングをさらに含む。例えばレンズは、少なくとも約１３．７ｍｍである幅を有する単一ミラーを有することができる。
【００３６】
[0036]本発明の上記その他の目的、利点および新規の特徴、ならびにその例示的な実施形態の詳細は、以下の説明および図面からより十分に理解されるであろう。
【図面の簡単な説明】
【００３７】
【図１】[0037]患者の目にごく近接して示されている、本発明の一実施形態の眼底観察レンズの概略断面図である。
【図２】[0038]本発明の一実施形態の眼底観察レンズの概略断面図である。
【図３】[0039]レンズが患者の目に接触している、本発明の一実施形態の接触レンズの概略図断面である。
【図４】[0040]示されている本発明の一実施形態の接触レンズの概略断面図である。
【発明を実施するための形態】
【００３８】
[0041]先述した概要、ならびに以下にある本発明のいくつかの実施形態の詳細説明は、添付の図面とあわせて読めばより良く理解されるであろう。いくつかの実施形態は、例示を目的に図面に示される。しかし、特許請求の範囲は、添付の図面に示される装置および手段に限定されないと理解されたい。さらに、図面に示される外観は、システムの決められた機能を達成するために利用され得る多くの装飾的外観のうちの１つである。
【００３９】
[0042]本発明は、低いコストで大量生産することができる、向上した光学的品質の、成形による眼用レンズに関する。例えば、本発明は、目の内部の検査のための、成形による眼用眼底観察または集光レンズに関する。本発明は、単回使用レンズを提供するように、射出成形および／または圧縮成形され得る、成形による眼用レンズに関する。眼用レンズは、同じタイプの既知のレンズとは異なる、一体リングおよび非球状形状を有し、コストを減少させ、レンズの光学的品質を向上させる。別の例として、本発明は、目を見るまたは治療するために臨床家によって使用される、主本体部分、把持部分および目接触部分を有する接触レンズに関する。本発明は、単回使用レンズを実現するように、射出成形および／または圧縮成形され得る、成形による眼用接触レンズに関する。眼用レンズは、コストを減少させレンズの光学的品質を向上させるように、同じタイプの既知の接触レンズとは異なる一体リングおよび形状を有する。
【００４０】
[0043]図１において、成形による眼用眼底観察または集光レンズ１は、患者の目２にごく近接して配置されている。レンズ１は、光学的に透明な材料から形成され、患者の目２に対向して、角膜５に近接して配置される第１の面または近位面３と、観察する眼科医１３に対向する第２のレンズ面または反対面４とを有する。
【００４１】
[0044]図示されない光源は、目の眼底を照明し、それによって、目２の眼底６から発出する外側の束になった光線８、１０のような光線が生成される。光線は、眼底から分散し、目の制限開口である、目の（散大されたまたは散大されていない）瞳孔１２を通る。光線は、目の角膜５から外に出てレンズ１の第１の面３によってとらえられる。レンズ１の第１の面３は、目２から発出した光線８、１０を第２のレンズ面４の方に向ける。第２のレンズ面４は、眼底６の二次元の倒立実像７を形成するようにそれぞれの点９、１１に光線８、１０の焦点を合わせる。眼科医は、例えば倒像検眼鏡、屈折鏡、または単にペンライト、または目を照明する光源を形成する同様のものを用いて、目の内部の画像７を観察することができる。
【００４２】
[0045]本眼用レンズは、成形レンズである。それは、射出成形および／または圧縮成形され得る。本発明の眼用レンズは、高い光学的品質で大量生産することができる。これは、汚染および疾病伝播を防ぐことができる単回使用レンズを可能にする。さらに、本発明の眼用レンズが単一片であることの性質およびそれがより少ない構成要素からなることにより、より低いコストのレンズの生産能が実現する。
【００４３】
[0046]眼用レンズは、光学的に透明な材料から作られる。光学的に透明な材料は、任意の成形可能材料であってよい。例えば、それは、プラスチック材料、または他の適当な透明材料であってよい。一実施形態では、材料は、光学グレードの、ポリメチルメタクリレート（ＰＭＭＡ）、スチレンもしくはポリカーボネートなどのアクリル樹脂、または当業界で周知の他の材料である。材料（例えば、ＰＭＭＡのようなアクリル樹脂）の比重は、１．１〜１．９、または好ましくは１．１〜１．２、または好ましくは１．１９未満であってよい。さらに、材料の屈折率は、１．４〜１．５５、または好ましくは１．４９であってよい。
【００４４】
[0047]図２は、本出願による成形による眼用レンズ２１の一実施形態を示している。眼用レンズは、光学部分２５を含む主本体部分２２を有する。光学部分は、具体的に、患者の目の瞳孔から出る眼底からの画像光線をとらえて最小限の歪曲の目の内部の倒立実像を形成するように形作られる２つの湾曲した非球面２３、２４を含む非対称レンズである。患者の目の瞳孔から出た眼底からの画像光線は、レンズの面２３に入り、面２４から出る。主本体部分の近位面２３は、目に近接するが接触せず、その一方で、主本体部分の反対面２４は目から離れている。
【００４５】
[0048]レンズの光学面２３、２４は、以下の式、
ｚ＝Ｃｒ２／（１＋√（１−（１＋Ｋ）Ｃ２ｒ２））
によって定義される。
式中、
Ｃは、光学部品（ｏｐｔｉｃ）の頂点における面の曲率、
Ｋは、コーニック定数であり、直径の増加と共に湾曲を平坦化する項（ｔｅｒｍ）、
ｒは、光学部品の直径に関する変数であり、値は、０（光学面の頂点）からｒ最大（光学部品の１／２直径）まで増加する、
ｚは、ｒに対する光学面上の点の幾何学的深さである。
【００４６】
[0049]０．６７のヒトの目の眼底画像の倍率を有する主本体レンズ２２の近位面２３の場合、以下の値である、
１／Ｃ＝１４．０±１．０
Ｋ＝−２．０＋／０．１
が好ましい。
主本体レンズ２２の反対面２４については、以下の値である、
１／Ｃ＝８．０±１．０
Ｋ＝−２．０±０．１
が好ましい。
【００４７】
[0050]倍率が０．７７倍の眼用レンズ２１の場合、主本体レンズ２２の近位面２３については、以下の値である、
１／Ｃ＝１５．５±１．０
Ｋ＝−２．０±０．１
が好ましく、主本体レンズ２２の反対面２４については、以下の値である、
１／Ｃ＝９．６±１．０
Ｋ＝−１．５±０．５
が好ましい。
【００４８】
[0051]倍率が１．０倍の眼用レンズ２１の場合、主本体レンズ２２の近位面２３については、以下の値である、
１／Ｃ＝２５．０±１．０
Ｋ＝−１．５±０．５
が好ましく、主本体レンズの反対面２４については、以下の値である、
１／Ｃ＝−１１．５．０±１．０
Ｋ＝−１．５±０．５
が好ましい。
【００４９】
[0052]本発明の他の実施形態によれば、眼用レンズ２１は、反対面については頂点半径Ｒ１を有し近位面についてはＲ２を有する２つの非球面２３、２４を含む。近位面２３を反対面２４と比較した２つの湾曲面の頂点半径の比は、１．５〜２．０倍の範囲であり、すなわち、近位面は、常に、反対面よりも平坦である。一実施形態では、倍率０．６７のレンズの場合、近位レンズ面２３は、頂点半径１４を有し、その一方で、主本体レンズの反対面２４は、頂点半径８．０を有する。
【００５０】
[0053]眼用レンズの面は、非球状カーブから構成されるので、面のカーブが、目に最も近接する曲率半径が目とは反対の面の曲率半径よりも急ではない、頂点半径を有するのであれば、レンズは、例えば高齢者および小児である目が散大し難い患者の眼底を見るための先に知られているレンズよりも良好に働く。したがって、臨床家は、さらに、診断および／または治療のために目の内部をより簡単に見ることができるようになる。
【００５１】
[0054]成形のために眼用レンズ２１を改良するために、一実施形態では、主本体部分は、さらに、リング部分２６を有する。図２に示されるように、リング部分２６は、眼用レンズの視軸に対して主本体部分２２の周りに円周方向に向けられる。
【００５２】
[0055]レンズの厚さ（Ｔ）に対するリングの高さ（ｔ）は、厚さ比ｔ／Ｔをもたらす。主本体部分２２は、０．１〜０．２の厚さ比ｔ／Ｔを有することができる。光学部分２５とリング部分の直径（Ｄ）に対する光学部分の直径（ｄ）の比は、直径比ｄ／Ｄをもたらす。主本体部分２２は、０．７５〜０．９の直径比を有することができる。厚さ（Ｔ）は、１０〜２０ｍｍであってよい。一実施形態では、それは少なくとも１０ｍｍである。
【００５３】
[0056]その他の重要な比は、Ｆ／Ｔ、すなわち厚さに対する焦点距離である。それは、０．６〜１．０の範囲であってよく、好ましくは約０．８である。
【００５４】
[0057]光学部分と一体であり主本体から延在するリング部分２６の形状は、成形による眼用レンズの光学的品質を向上させるように、成形プロセスの間、鋳型の表面に付着する傾向がある任意の破片、泡および同様のものを、レンズの光学中心線から離れたところで集めることを可能にする。さらに、リング機能の形状は、成形プロセスの間の収縮を最小にする。
【００５５】
[0058]眼用レンズは、さらに、主本体部分２２と一体の把持部分２７を有することができる。好ましい一実施形態では、把持部分２７は、臨床家が診断または治療の間にレンズ２１上を簡単に把持し続けることができるようにテクスチャリングされる。眼用レンズ２１の把持部分２７は、全体的に円筒形の側壁を有することができる。
【００５６】
[0059]一実施形態では、リング部分２６は、臨床家が診断または治療の間にレンズ２１上を簡単に把持し続けることができるようにする把持部分として機能することもできる。これは、例えば、リング部分２７をテクスチャリングすることによってなされる。
【００５７】
[0060]本発明の眼用レンズは、レンズの成形プロセスを最適化し、レンズの光学的品質を向上させるように形作られる。具体的には、眼用レンズは、コストを減少させレンズの光学的品質を向上させるように、同じタイプの既知のレンズとは異なる、一体リングおよび非球状形状を有する。さらに、本発明の眼用レンズは、機械加工とは対照的に、成形されるので、低コストで大量生産することができる。したがって、本発明の眼用レンズは、レンズの単回使用または使い捨て適用例に特に適している。本発明の眼用レンズは、１回使用されて廃棄され得る単回使用または使い捨ての眼用レンズであるので、レンズを介した疾病伝播が大幅に最小にされる。
【００５８】
[0061]図３では、成形による眼用接触レンズ３１が、患者の目３２に接触して位置付けられている。レンズ３１は、光学的に透明な材料から形成され、患者の角膜３３に触れる接触面と、観察する眼科医３５に対向する第２のレンズ面または反対面４とを有する。
【００５９】
[0062]本眼用接触レンズは、成形レンズである。それは、射出成形および／または圧縮成形され得る。本発明の眼用レンズは、高い光学的品質で大量生産することができる。これは、汚染および疾病伝播を防ぐことができる単回使用レンズを可能にする。さらに、本発明の眼用レンズが単一片であることの性質およびそれがより少ない構成要素からなることにより、より低いコストのレンズの生産能が実現する。
【００６０】
[0063]眼用接触レンズは、光学的に透明な材料から作られる。光学的に透明な材料は、任意の成形可能材料であってよい。例えば、それは、プラスチック材料、または他の適当な透明材料であってよい。一実施形態では、材料は、光学グレードの、ポリメチルメタクリレート（ＰＭＭＡ）、スチレンもしくはポリカーボネートなどのアクリル樹脂、または当業界で周知の他の材料である。材料（例えば、ＰＭＭＡのようなアクリル樹脂）の比重は、１．１〜１．９、または好ましくは１．１〜１．３、または好ましくは１．３未満であってよい。さらに、材料の屈折率は、１．４〜１．５５、または好ましくは１．４９であってよい。
【００６１】
[0064]図４は、本出願による成形による眼用接触レンズ４１の一実施形態を示している。眼用レンズはリング部分４２を有する。眼用レンズの使用時に、患者の目に接触させて眼用レンズを保持するために臨床家によって直接または間接的に把持される把持部分４３に、リング部分が取り付けられてもよく、またはその把持部分４３としてリング部分が機能してもよい。眼用レンズは、目接触部分４４も有する。目接触部分４４とリング部分４２の間は主本体部分４５である。眼用レンズの目接触部分４４は、目の角膜に合うように形作られる。好ましい一実施形態では、レンズの目接触部分４４は、約１２．５ｍｍの直径、および７．７５ｍｍの曲率半径を有する。眼用レンズのリング部分４２および／または把持部分４３は、全体的に円筒形の側壁を有することができる。好ましい一実施形態では、把持部分４３は、臨床家が診断または治療の間にレンズ上を簡単に把持し続けることができるようにテクスチャリングされる。所望される場合には、把持部分４３上により大きい把持表面が加えられてもよいことに留意すべきである。目接触部分の反対側のレンズの表面は平坦でもよく、または拡大されるように湾曲していてもよい。
【００６２】
[0065]眼用接触レンズの主本体４５は、少なくとも１つの平らなミラー表面４６とともに成形することもできる。単一のミラー表面を有する眼用レンズについては、ミラー表面の幅は、少なくとも６ｍｍ以上とすることができる。眼用レンズの厚さＴは、少なくとも約２１ｍｍである。好ましい実施形態では、ミラー表面は、アルミニウムコーティングを有する。
【００６３】
[0066]図４は、少なくとも１つのミラー表面４６を有する眼用接触レンズ４１を示しており、ミラー表面４６はレンズ４１の主本体部分４５に形成される。眼用レンズ４１の長さＴは、少なくとも約１６ｍｍである。好ましい実施形態では、ミラー表面４６はアルミニウムコーティングを有する。
【００６４】
[0067]本発明の眼用接触レンズを改善するために、リング／把持部分４２／４３は、眼用レンズの視軸に対して主本体部分４５周りに周方向に配向される。
【００６５】
[0068]レンズの厚さ（Ｔ）に対するリング部分の高さ（ｔ）は、レンズの厚さに対するリングの高さ比ｔ／Ｔをもたらす。眼用レンズは、約０．１〜約０．２の、レンズの厚さに対するリングの高さ比ｔ／Ｔを有することができる。光学部分とリング部分の直径（Ｄ）に対する光学部分の直径（ｄ）、直径比ｄ／Ｄをもたらす。眼用レンズは、約０．７５〜約０．９の直径比を有することができる。レンズの厚さ（Ｔ）は、約１０ｍｍ〜約２０ｍｍであってよい。一実施形態では、それは少なくとも約１０ｍｍである。リングの高さ（ｔ）は約１〜約７ｍｍであってよい。
【００６６】
[0069]レンズの厚さ（Ｔ）に対する把持部分の高さ（Ｗ）は、レンズの厚さに対する把持部の高さ比Ｗ／Ｔをもたらす。眼用レンズは、約０．１５〜約０．３の、レンズの厚さに対する把持部の高さ比Ｗ／Ｔを有してもよい。把持部分の高さ（Ｗ）は３〜１０ｍｍであってよい。
【００６７】
[0070]リング部分の高さ（ｔ）に対する把持部分の高さ（Ｗ）は、リングの高さに対する把持部の高さ比Ｗ／ｔをもたらす。眼用レンズは、約０．１〜約１．０の、リングの高さに対する把持部の高さ比Ｗ／ｔを有することができる。
【００６８】
[0071]主本体から延在しているリング部分および／または把持部分の形状は、成形による眼用レンズの光学的品質を向上させるように、成形プロセスの間、鋳型の表面に付着する傾向がある任意の破片、泡および同様のものを、レンズの光学中心線から離れたところで集めることを可能にする。さらに、リング機能の形状は、成形プロセスの間の収縮を最小にする。
【００６９】
[0072]眼用接触レンズは、主本体部分４５と一体の把持部分４３を有することもできる。好ましい実施形態では、把持部分４３は、臨床家が診断または治療の間にレンズ上を簡単に把持し続けることができるようにテクスチャリングされる。眼用レンズの把持部分４３は、全体的に円筒形の側壁を有することができる。
【００７０】
[0073]一実施形態では、リング部分４２は、臨床家が診断または治療の間にレンズ上を簡単に把持し続けることができるようにする把持部分４３として機能することもできる。これは、例えば、リング部分４２をテクスチャリングすることによってなされる。
【００７１】
[0074]本発明の眼用接触レンズは、レンズの成形プロセスを最適化し、レンズの光学的品質を向上させるように形作られる。具体的には、眼用接触レンズは、コストを減少させレンズの光学的品質を向上させるように、同じタイプの既知のレンズとは異なる一体リングを有する。さらに、本発明の眼用接触レンズは、機械加工とは対照的に、成形されるので、低コストで大量生産することができる。したがって、本発明の眼用レンズは、レンズの単回使用または使い捨て適用例に特に適している。本発明の眼用レンズは、１回使用されて廃棄され得る単回使用または使い捨ての眼用レンズであるので、レンズを介した疾病伝播が大幅に最小にされる。
【００７２】
[0075]本発明は、いくつかの実施形態を参照して述べてきたが、本発明の範囲から逸脱することなく、様々な変更を加えることができ、均等物に置き換えることができることが当業者には理解されよう。さらに、本発明の範囲から逸脱することなく、特定の状況または材料を本発明の教示に適合させるように多くの修正を加えることができる。したがって、本発明は、開示の特定の実施形態に限定されるものではなく、添付の特許請求の範囲に入るすべての実施形態を包含する。
【図１】
2019511939.tif 000003
【図２】
2019511939.tif 000004
【図３】
2019511939.tif 000005
【図４】
2019511939.tif 000006
【国際調査報告】
2019511939.tif 000007
2019511939.tif 000008
2019511939.tif 000009